(57)【要約】      （修正有）【課題】効果的に冷却効果を実現できる送風機を提供する。【解決手段】送風機は、本体部１０と、本体部１０の一方面に設けられた送風部５０と、本体部１０の一方面に設けられ、液体を噴霧するための噴霧口７１と、本体部１０の側面に設けられ、押圧することで液体を噴霧口７１から噴霧することができる押圧部４０と、を有する。一方面は傾斜面１１ａを有する。送風部５０と本体部１０の連結箇所は噴霧口７１よりも一方側に設けられる。【選択図】図１
0003217371.tif 000002
【実用新案登録請求の範囲】
【請求項１】
本体部と、
前記本体部の一方面に設けられた送風部と、
前記本体部の一方面に設けられ、液体を噴霧するための噴霧口と、
前記本体部の側面に設けられ、押圧することで前記液体を前記噴霧口から噴霧することができる押圧部と、
を備え、
前記一方面は傾斜面を有し、
前記送風部と前記本体部の連結箇所は前記噴霧口よりも一方側に設けられる送風機。
【請求項２】
前記本体部は、第一本体部分と、第一本体部分よりも横断面における径が大きく、かつ第一本体部分よりも他方側に位置する第二本体部分とを有し、
前記押圧部が第二本体部分に設けられる請求項１に記載の送風機。
【請求項３】
前記本体部の側方から見たときに前記ファンの他方側の縁は前記傾斜面と略平行になっている請求項１又は２のいずれかに記載の送風機。
【請求項４】
前記一方面は、前記本体部の長手方向で延在する当該本体部の中心線が通過しない平坦面を有する請求項１乃至３のいずれか１項に記載の送風機。
【考案の詳細な説明】
【技術分野】
【０００１】
本考案は、送風部を有する送風機に関する。
【背景技術】
【０００２】
従来から、持ち運び式の送風機が知られている。このような持ち運び式の送風機としては、例えば特許文献１に開示されているものを挙げることができる。この持ち運び式の送風機は、筐体と、筐体の正面に設けられて、外気を取り込むための吸引口と、筐体の上面に設けられて、吸引口から取り込まれた外気を前記筐体の外方へ送るための送風口と、 筐体内に設けられ、回転することで、吸引口から外気を取り込むとともに送風口から筐体の外方へ外気を送り出す複数の羽根を有する回転体と、を有している。
【先行技術文献】
【特許文献】
【０００３】
【特許文献１】ＷＯ２０１３／１５７１４０
【考案の概要】
【考案が解決しようとする課題】
【０００４】
本考案は、特許文献１に開示されているような従来の持ち運び式の送風機よりもより効果的に冷却効果を実現できる送風機を提供する。
【課題を解決するための手段】
【０００５】
本考案による送風機は、
本体部と、
前記本体部の一方面に設けられた送風部と、
前記本体部の一方面に設けられ、液体を噴霧するための噴霧口と、
前記本体部の側面に設けられ、押圧することで前記液体を前記噴霧口から噴霧することができる押圧部と、
を備え、
前記一方面が傾斜面を有し、
前記送風部と前記本体部の連結箇所が前記噴霧口よりも一方側に設けられてもよい。
【０００６】
本考案による送風機において、
前記本体部は、第一本体部分と、第一本体部分よりも横断面における径が大きく、かつ第一本体部分よりも他方側に位置する第二本体部分とを有し、
前記押圧部が第二本体部分に設けられてもよい。
【０００７】
本考案による送風機において、
前記本体部の側方から見たときに前記ファンの他方側の縁は前記傾斜面と略平行になってもよい。
【０００８】
本考案による送風機において、
前記一方面は、前記本体部の長手方向で延在する当該本体部の中心線が通過しない平坦面を有してもよい。
【本考案の効果】
【０００９】
本考案の一態様によれば、押圧部を押圧することで噴霧口から水等の液体を噴霧しつつ、送風部によってユーザに風を送ることができる。このため、ユーザは水等の液体の気化熱を利用しつつ体温等を下げることができ、効果的な冷却効果を得ることができる。
【図面の簡単な説明】
【００１０】
【図１】本考案の実施の形態による持ち運び式送風機の側方図。
【図２】本考案の実施の形態による持ち運び式送風機の斜視図。
【図３】本考案の実施の形態による持ち運び式送風機の平面図。
【図４】本考案の実施の形態による持ち運び式送風機の図１とは逆側から見た側方図。
【図５】本考案の実施の形態による持ち運び式送風機の貯留部及び吸引部を示した側方図。
【図６】本考案の実施の形態による持ち運び式送風機の本体部の中心線と送風部と本体部の連結箇所との位置関係を示した側方図。
【図７】本考案の実施の形態の別の態様による本体部の傾斜面とファンとの関係を示した側方拡大図。
【考案を実施するための形態】
【００１１】
実施の形態
《構成》
以下、本考案に係る送風機の実施の形態について、図面を参照して説明する。本考案に係る送風機は持ち運び式となっていてもよい。以下では、一例として、送風機が持ち運び式からなる持ち運び式送風機を用いて説明する。但し、このような態様に限られることはなく、持ち運び式とはなっておらず、部屋等に設置するような送風機も本実施の形態では提供される。
【００１２】
図１に示すように、持ち運び式送風機は、本体部１０と、本体部１０の一方面に設けられた送風部５０と、本体部１０の一方面に設けられ、液体を噴霧するための噴霧口７１と、本体部１０の側面に設けられ、押圧することで水等の液体を噴霧口７１から噴霧することができる押圧部４０と、を有してもよい。
【００１３】
本実施の形態において本体部１０の「一方面」は例えば本体部１０の「頂面」であり、本体部１０の「他方面」は本体部１０の「底面」である。本実施の形態において「一方側」とは本体部１０の底面から頂面に向かう方向側を意味し、「他方側」とは本体部１０の頂面から底面に向かう方向側を意味する。本実施の形態では、本体部１０の底面から頂面に向かう方向と本体部１０の頂面から底面に向かう方向とを含む方向を「第一方向」と呼び（図１参照）、当該第一方向に直交する方向を「側方」と呼ぶ。
【００１４】
本体部１０の一方面は、図１等に示すように、傾斜面１１ａと、傾斜面１１ａに隣接して設けられた平坦面１１ｂとを有してもよい。送風部５０と本体部１０の連結箇所５５（図７参照）は噴霧口７１よりも一方側に設けられてもよい。送風部５０と本体部１０の連結箇所５５は一方面の平坦面１１ｂに設けられてもよい。図１等に示すように平坦面１１ｂを取り囲むようにして傾斜面１１ａが設けられてもよいし、図７に示すように平坦面１１ｂの一部だけを取り囲むようにして傾斜面１１ａが設けられ、平坦面１１ｂの端部は本体部１０の側面に繋がるようになってもよい。
【００１５】
図１等で示すように、送風部５０は、外部に露出するとともに可塑性を有する１つ以上のファン５１を有してもよい。ファン５１は例えば発泡スチロール、ゴムのような材料から構成されてもよい。本体部１０の側面には、ファン５１の駆動及び停止を切り替えるためのスイッチ３０が設けられてもよい。本体部１０内には送風部５０のファン５１を回転駆動するための電池を設置するための電池設置部（図示せず）が設けられてもよい。本実施の形態では、２つのファン５１が設けられている。このように３つ以上ではなく２つのファン５１を採用することで、噴霧口７１から噴霧される液体がファン５１の間を通過しやすくすることができる。また、１つだけファンが設けられた態様と比較すると送風をバランスよく行うことができる点で有益である。他方、噴霧口７１から噴霧される液体がファン５１に衝突しないようにすることを重視する場合には、ファンが１つからなる態様を採用してもよい。
【００１６】
図７に示すように、本体部１０の側方から見たときにファン５１の他方側の縁５１ａは傾斜面１１ａと略平行になってもよい。図１等で示すように、本体部１０の側方から見たときにファン５１の他方側の縁５１ａは平坦面１１ｂと略平行になってもよい。本実施の形態において、略平行とは、完全に平行となっている場合だけではなく、平行から±５°以内で傾いている態様を意味している。
【００１７】
図５に示すように、本体部１０内には水等の液体を貯留する貯留部８０が設けられてもよい。貯留部８０内には、貯留部８０内の水等の液体を押圧部４０が押圧されることで吸引する吸引部７０の他方側の一部（底面側の一部）が設けられてもよい。吸引部７０の一方側端部（頂面側端部）に噴霧口７１が設けられている。図４に示すように、本体部１０の側面は透明窓１５を有し、当該透明窓１５を介して貯留部８０に貯留されている水等の液体の量を確認できるようになってもよい。
【００１８】
図１に示すように、本体部１０には貯留部８０に連通され、水等の液体を貯留部８０内に補給するための補給口２１を有する補給部２０が設けられてもよい。補給部２０は、補給口２１を塞ぐ閉鎖部２２を有してもよい。
【００１９】
図３に示すように、本体部１０は一方側から見た場合に略円形状となってもよい。図１等で示すように、本体部１０は、第一本体部分１０ａと、第一本体部分１０ａよりも横断面における径が大きい第二本体部分１０ｂとを有してもよい。押圧部４０は第二本体部分１０ｂに設けられてもよい。第一本体部分１０ａは第二本体部分１０ｂよりも他方側に位置してもよい。押圧部４０は第二本体部分１０ｂに設けられてもよい。
【００２０】
図６に示すように、一方面１１の平坦面１１ｂは、本体部１０の長手方向で延在する当該本体部の中心線が通過しない位置に設けられてもよい。つまり、平坦面１１ｂは一方側から見たときに本体部１０の中心からずれる位置に設けられてもよい（図３も参照）。一方側から見た平面視において、連結箇所５５の中心と噴霧口７１の中心との間に本体部の中心線が位置づけられてもよい。
【００２１】
《効果》
次に、上述した構成からなる本実施の形態による効果であって、未だ説明していないものを中心に説明する。なお、「効果」で記載された態様を、上記「構成」において適用することもできる。
【００２２】
本実施の形態の持ち運び式送風機によれば、押圧部４０を押圧することで噴霧口７１から水等の液体を噴霧しつつ、送風部５０によってユーザに風を送ることができる。このため、ユーザは水等の液体の気化熱を利用しつつ体温等を下げることができ、効果的な冷却効果を得ることができる。
【００２３】
図１に示すように、本体部１０の一方面が傾斜面１１ａを有し、当該傾斜面１１ａに噴霧口７１が設けられ、送風部５０と本体部１０の連結箇所５５が噴霧口７１よりも一方側に設けられる態様を採用した場合には、噴霧口７１と送風部５０のファン５１との第一方向における距離を保ちつつ、持ち運び式送風機の第一方向での長さを抑えることができる点で有益である。
【００２４】
特に図５に示すように平坦面１１ｂが本体部１０の長手方向で延在する中心線を通過していない態様を採用した場合には（図３も参照）、噴霧口７１の設けられる傾斜面１１ａの長さを長くすることができ、持ち運び式送風機の第一方向での長さを抑えつつ、噴霧口７１と送風部５０のファン５１との第一方向における距離を一定程度のものとすることができる点で有益である。
【００２５】
送風部５０のファン５１が、外部に露出するとともに可塑性を有する場合には、噴霧口７１から噴霧される液体を遮る部材が設けられず、かつファン５１が可塑性を有することからユーザにファン５１が当たっても危険なものとはならない点で有益である。
【００２６】
図７に示すように、本体部１０の側方から見たときにファン５１の他方側の縁５１ａが傾斜面１１ａと略平行になっている態様を採用した場合には、ファン５１によって発生する傾斜面１１ａからの空気の流れを円滑なものとすることができ、より効果的な冷却効果を得ることができる。
【００２７】
図４に示すように、本体部１０の側面に設けられた透明窓１５を介して貯留部８０に貯留されている水等の液体の量を確認できる場合には、水等の液体の残量をユーザが容易に確認できる。
【００２８】
本体部１０が、第一本体部分１０ａと、第一本体部分１０ａよりも横断面における径が大きく、かつ第一本体部分１０ａよりも他方側に位置する第二本体部分１０ｂとを有する態様を採用した場合には、第二本体部分１０ｂがユーザの手をストップさせる機能を果たしつつ、第一本体部分１０ａでユーザは持ち運び式送風機を容易につかむことができる。この態様において、押圧部４０が第二本体部分１０ｂに設けられる態様を採用した場合には、第二本体部分１０ｂでユーザの手がストップされながら、押圧部４０を押圧することができるので、安定した状態で押圧部４０を押圧することができる。
【００２９】
一方側から見たときに、スイッチ３０は押圧部４０と１８０度異なる位置、つまり本体部１０の側面において反対側に設けられてもよい（図１及び図４参照）。このような態様を採用した場合には、スイッチ３０のＯＮ／ＯＦＦを人差し指で適宜切り替えつつ、押圧部４０を押圧することができる点で有益である。図４に示すように、透明窓１５は、押圧部４０を右側に配置し、スイッチ３０を左側に配置した際にユーザの手前側に位置付けられるようにしてもよい。このような態様によれば、右手でユーザが押圧部４０に触れつつ本体部１０を保持した際に、透明窓１５を介して水等の液体の残量を確認できる。一般的には右利きのユーザが多いことから、このような態様は有益である。
【００３０】
なお、押圧部４０のようなものが設けられず、自動で噴霧口７１から水等の液体が噴霧されてもよい。また、押圧部４０が自動で押圧されることで、噴霧口７１から水等の液体が噴霧されてもよい。これらの態様によれば、ユーザが押圧部４０を押圧する必要がなくなる点で有益である。
【００３１】
上述した実施の形態の記載及び図面の開示は、請求の範囲に記載された考案を説明するための一例に過ぎず、上述した実施の形態の記載又は図面の開示によって実用新案登録請求の範囲に記載された考案が限定されることはない。
【符号の説明】
【００３２】
１０        本体部
１０ａ      第一本体部分
１０ｂ      第二本体部分
１１ａ      傾斜面
４０        押圧部
５０        送風部
５１        ファン
５１ａ      ファンの他方側の縁
７１        噴霧口
【図１】
0003217371.tif 000003
【図２】
0003217371.tif 000004
【図３】
0003217371.tif 000005
【図４】
0003217371.tif 000006
【図５】
0003217371.tif 000007
【図６】
0003217371.tif 000008
【図７】
0003217371.tif 000009